(57)【要約】【課題】分岐開閉器のハンドルの操作性を損なわず、かつ、本体カバーの樹脂成型を効率的に行う。【解決手段】分電盤（１）は、複数の分岐開閉器（５）のそれぞれに設けられた操作のための分岐ハンドル（５ａ）を露出させる第２開口窓（３ｂ）が形成された樹脂製の本体カバー（３）を備えている。本体カバー（３）の外表面は、分岐ハンドル（５ａ）の動作範囲の最も高い位置よりも高い位置にある。【選択図】図２
2019115258.tif 000002
【特許請求の範囲】
【請求項１】
複数の分岐開閉器のそれぞれに設けられた操作のためのハンドルを露出させる開口部が形成された樹脂製の本体カバーを備え、
前記本体カバーの外表面が前記分岐開閉器のハンドルの動作範囲の最も高い位置よりも高い位置にあることを特徴とする分電盤。
【発明の詳細な説明】
【技術分野】
【０００１】
本発明は、分電盤に関する。
【背景技術】
【０００２】
分岐開閉器が設けられた分電盤では、分岐開閉器に設けられたハンドルによって該分岐開閉器の開閉を切り替える。通常、分岐開閉器のハンドルは、操作可能なように外部に露出している。
【０００３】
特許文献１には、複数の分岐開閉器のハンドルが、カバーにおいてハンドル毎に設けられた突出孔から突出している分電盤が記載されている。特許文献２には、分岐開閉器を配設しない場所に生じる隙間を塞ぐキャップが設けされた分電盤が記載されている。
【先行技術文献】
【特許文献】
【０００４】
【特許文献１】特開平９−６５５１７号公報（１９９７年３月７日公開）
【特許文献２】特開平１０−１０８３１９号公報（１９９８年４月２４日公開）
【発明の概要】
【発明が解決しようとする課題】
【０００５】
特許文献１に記載の分電盤では、分岐開閉器のハンドルがカバーから突出しているために、ハンドルが不用意に操作されるおそれがある。このような不都合を回避するために、ハンドルが突出孔で露出しても突出孔から突出しないように、ハンドルをカバー内に配置することが考えられる。このような構成では、ユーザが突出孔に指を差し入れてハンドルを操作する必要がある。しかしながら、突出孔は、通常、ハンドルが移動できる程度の幅に形成されるものの、指を差し入れてハンドルを操作することができる程度の十分広い幅に形成されていない場合があり、このような場合には、ハンドル操作がしづらくなる。
【０００６】
一方、特許文献２に記載の分電盤では、全ての分岐開閉器がカバーの窓孔から露出しているため、ハンドルの操作性が上記のように損なわれることはない。しかしながら、カバーが、大きい窓孔を有することにより、カバーを樹脂成型にて作製する場合、金型における樹脂の流動性が良好ではなく、樹脂成型を効率的に行うことが難しい。具体的には、図９に示すように、金型１０１の注入口１０１ａから注入された樹脂は、窓孔を形成するための凸部１０１ｂの両側から破線にて示すように回り込むので、金型１０１の全体に樹脂が注入されるまでに時間がかかる。
【０００７】
本発明は、分岐開閉器のハンドルの操作性を損なわず、かつ、本体カバーの樹脂成型を効率的に行うことができる分電盤を実現することを目的とする。
【課題を解決するための手段】
【０００８】
本発明の一態様に係る分電盤は、複数の分岐開閉器のそれぞれに設けられた操作のためのハンドルを露出させる開口部が形成された樹脂製の本体カバーを備え、前記本体カバーの外表面が前記分岐開閉器のハンドルの動作範囲の最も高い位置よりも高い位置にある。
【０００９】
上記の構成によれば、本体カバーが分岐開閉器のハンドルと接触することはない。従って、ハンドルの誤操作を回避することができる。
【発明の効果】
【００１０】
本発明の一態様によれば、分岐開閉器のハンドルの操作性を損なわず、かつ、本体カバーの樹脂成型を効率的に行うことができるという効果を奏する。
【図面の簡単な説明】
【００１１】
【図１】本発明の一実施形態に係る分電盤の平面図を示す。
【図２】（ａ）は、主幹ハンドルカバーおよび分岐ハンドルカバーを取り外した状態の分電盤の平面図を示し、（ｂ）は、該状態における分電盤の斜視図を示す。
【図３】上記分岐ハンドルカバーの平面図を示す。
【図４】分岐開閉器を通る上記分電盤の断面図である。
【図５】分岐ハンドルカバーを取り外した（開けた）状態における、分電盤の第２開口窓の箇所を拡大して示す平面図である。
【図６】分岐ハンドルカバーを取り付けた（閉めた）状態における、分電盤の第２開口窓の箇所を拡大して示す平面図である。
【図７】分岐ハンドルカバーおよび凹部を模式的に示す、図６における切断線Ａ−Ａの断面矢視図である。
【図８】上記分電盤の本体カバーを樹脂成型するための金型において樹脂が流動する状態を示す図である。
【図９】従来の分電盤の本体カバーを樹脂成型するための金型において樹脂が流動する状態を示す図である。
【発明を実施するための形態】
【００１２】
（分電盤の概略的な構成）
図１は、本発明の一実施形態に係る分電盤１の平面図を示す。図２の（ａ）は、主幹ハンドルカバーおよび分岐ハンドルカバーを取り外した状態の分電盤１の平面図を示し、図２の（ｂ）は、該状態における分電盤の斜視図を示す。
【００１３】
分電盤１は、基台２、本体カバー３、主開閉器４、複数の分岐開閉器５、主幹ハンドルカバー１１、および分岐ハンドルカバー１２（ハンドルカバー）を備える。主開閉器４は、開閉（導通／遮断）の切り替え操作を行うための主幹ハンドル４ａを備える。分岐開閉器５は、開閉の切り替え操作を行うための分岐ハンドル５ａ（ハンドル）を備える。主開閉器４および複数の分岐開閉器５は、基台２に取り付けられる。本体カバー３は、分電盤１の内部に設けられた配線（母線等）を覆うように、基台２に対して取り付けられる。本体カバー３は、主幹ハンドル４ａに対応する箇所に第１開口窓３ａを有し、複数の分岐ハンドル５ａに対応する箇所に第２開口窓３ｂ（開口部）を有する。第２開口窓３ｂには、所定の間隔をおいて複数の架設部１６が設けられている。ここでは、基台２、本体カバー３、主幹ハンドルカバー１１、および分岐ハンドルカバー１２は、樹脂製であるが、これに限らず、本体カバー３を除いて、金属製であってもよい。
【００１４】
また、本体カバー３には、２つの取手部６が設けられている。取手部６は、本体カバー３を基台２に固定するための部材であるとともに、本体カバー３を基台２から取り外すための部材である。なお、本体カバー３における互いに対向する２つの側面のそれぞれには、それぞれの取手部６を配置するための凹部の空間が設けられている。取手部６は、当該凹部の空間内において可動であるように配置されている。このように、凹部の空間内に取手部６が設けられることにより、本体カバー３の取り外し作業が容易化される。これにより、分電盤１のメンテナンス作業が容易化される。
【００１５】
主幹ハンドルカバー１１は、第１開口窓３ａを覆うように、本体カバー３に取り付けられる。主幹ハンドルカバー１１および本体カバー３の第１開口窓３ａ周辺には、対応する凸部と凹部が設けられている。凸部と凹部とが係合することにより、主幹ハンドルカバー１１が本体カバー３に固定される。主幹ハンドルカバー１１は、工具を使用することなく外側からユーザの手によって着脱（開閉）することができる。
【００１６】
なお、主幹ハンドルカバー１１は、着脱式ではなく、固定された軸を中心に回動して開く構成であってもよい。ただし、回動式に比べて、着脱式の主幹ハンドルカバー１１の方が、軸等が壊れることがなく、主幹ハンドルカバー１１が前側に回動するスペースが必要ないので、小さいスペースで分電盤１を使用（設置）することができる。
【００１７】
（分岐ハンドルカバー）
図３は、分岐ハンドルカバー１２の平面図を示す。分岐ハンドルカバー１２は、板状の部材であり、長方形状の外形を有する。分岐ハンドルカバー１２は、樹脂製であり、かつ、薄い板状であるため、弾性変形可能である。分岐ハンドルカバー１２は、複数（ここでは４つ）の切り欠き１２ａを有する。ここでは、切り欠き１２ａは、円弧状であるが、三角形状であってもよいし、四角形状であってもよく、任意の形状であってよい。複数の切り欠き１２ａは、分岐ハンドルカバー１２の少なくとも１つの中心軸に対して対称となるように、分岐ハンドルカバー１２に形成されてもよい。例えば、複数の切り欠き１２ａが縦の中心軸に対して対称に形成されている場合、縦の中心軸に対して分岐ハンドルカバー１２を１８０°回転させた状態でも、元の状態と同じように分岐ハンドルカバー１２を本体カバー３に取り付けることができる。水平の中心軸に対して対称な場合、および中心に対して対称な場合についても同様である。分岐ハンドルカバー１２は、少なくとも部分的に透明または半透明であることが好ましい。これにより、分岐ハンドルカバー１２が閉まった（取り付けられた）状態でも、ユーザは外側から分岐ハンドルカバー１２を通して分岐ハンドル５ａの状態を見ることができる。
【００１８】
図４は、分電盤１の、分岐開閉器５を通る断面図である。図４は、（ａ）から（ｃ）にかけて、分岐ハンドル５ａが動く様子を示す。分岐ハンドル５ａが動く軌跡と干渉しないように、分岐ハンドルカバー１２は配置される。すなわち、分岐ハンドルカバー１２は、分岐ハンドル５ａの動作範囲より外側、より具体的には、分岐ハンドル５ａの動作範囲の最も高い位置よりも高い位置に配置される。各分岐開閉器５は、分電盤１に電源を供給するための３種類の母線１７のうちの２つに接続されている。
【００１９】
図５は、分岐ハンドルカバー１２を取り外した（開けた）状態における、分電盤１の第２開口窓３ｂの箇所を拡大して示す平面図である。本体カバー３は、第２開口窓３ｂの周囲に沿って、分岐ハンドルカバー１２を支持するためのカバー支持面１３（支持面）を有する。カバー支持面１３は、分岐ハンドルカバー１２の縁を支持するために、第２開口窓３ｂの略全体の縁に設けられる。本体カバー３は、本体カバー３から突出する突起である複数の爪１４を有する。分岐ハンドルカバー１２は、カバー支持面１３と爪１４との間に挟まれることにより保持される。爪１４が形成されている箇所に、カバー支持面１３が形成されていなくてもよい。このように構成することで、本体カバー３の樹脂成型の際に金型から抜くのが容易となる。なお、爪１４は、カバー支持面１３との間で溝を形成するようにカバー支持面１３に沿って長く延びる突起（突起部）であってもよい。
【００２０】
カバー支持面１３には、複数の凹部１５が設けられている。カバー支持面１３は、第２開口窓３ｂの対向する２辺（長辺）の対向する位置に、それぞれ凹部１５を有する。凹部１５は、第２開口窓３ｂの短辺に隣接する位置、または、短辺の近傍に配置される。本実施形態では、凹部１５は、第２開口窓３ｂの短辺に沿って設けられたカバー支持面１３に隣接するように配置される。また、凹部１５が配置されている側の第２開口窓３ｂの短辺に、爪１４ａが設けられている。爪１４、１４ａは、分岐ハンドルカバー１２を押さえて固定する。
【００２１】
第２開口窓３ｂは、本体カバー３に設けられた複数の架設部１６によって区切られていてもよい。ここでは、複数の架設部１６は、第２開口窓３ｂを横切るように掛け渡されている。複数の架設部１６の上面（外表面）は、カバー支持面１３と同じ面に揃うとともに、図４の（ａ）〜（ｃ）にも示すように、分岐ハンドル５ａの動作範囲の最も高い位置よりも高い位置にある。複数の架設部１６の下面は、隣り合う分岐ハンドル５ａの間の隙間に配置されている。複数の架設部１６は、カバー支持面１３と共に分岐ハンドルカバー１２を支持する。架設部１６は、平面視したときに（分電盤１の前面から見たときに）分岐ハンドル５ａと重ならないように、複数の分岐開閉器５毎に、隣接する分岐開閉器５の間に配置される。架設部１６は、その両側に複数の分岐開閉器５が存在する位置に設けられている。また、隣り合う架設部１６は、所定数（ここでは３つ）の分岐開閉器５を間において配置されている。
【００２２】
図６は、分岐ハンドルカバー１２を取り付けた（閉めた）状態における、分電盤１の第２開口窓３ｂの箇所を拡大して示す平面図である。本体カバー３に分岐ハンドルカバー１２を取り付ける際は、カバー支持面１３と爪１４との間に板状の分岐ハンドルカバー１２を差し込み、分岐ハンドルカバー１２をスライドさせる。分岐ハンドルカバー１２は、本体カバー３に取り付けられた状態では、カバー支持面１３上および架設部１６上に保持されている。
【００２３】
図７は、分岐ハンドルカバー１２および凹部１５を模式的に示す、図６における切断線Ａ−Ａの断面矢視図である。図７の（ａ）は、本体カバー３に分岐ハンドルカバー１２が取り付けられている状態を示し、図７の（ｂ）は、分岐ハンドルカバー１２を外側から押し込んだ状態を示す。ここでは、第２開口窓３ｂはカバー支持面１３より突出した矩形の壁で囲まれている。ここでは、凹部１５の底面は、側面視で円弧状であるが、これに限らず、側面視において凹部１５は（凹部を側面から見た断面形状は）、三角形状または四角形状等の任意の形状であってもよい。分岐ハンドルカバー１２が第２開口窓３ｂに取り付けられた状態において、分岐ハンドルカバー１２の短辺の端は、カバー支持面１３と爪１４ａとの間に挿入されている。
【００２４】
本体カバー３から分岐ハンドルカバー１２を取り外す際は、分岐ハンドルカバー１２の凹部１５に対応する位置を外側からユーザが指等で押さえる。分岐ハンドルカバー１２は、凹部１５の曲面に沿って弾性変形するため、分岐ハンドルカバー１２の一部（短辺の端）がカバー支持面１３から浮き上がる。これにより、分岐ハンドルカバー１２の短辺の端は、爪１４ａから外れる。この状態でユーザは、分岐ハンドルカバー１２の浮き上がった端を指等で掴み、分岐ハンドルカバー１２を引き出すことができる。また、架設部１６が分岐ハンドルカバー１２を支持するため、押さえられた分岐ハンドルカバー１２が意図しない方向に撓んで分岐ハンドル５ａに接触することを防ぐことができる。
【００２５】
本体カバー３に分岐ハンドルカバー１２を取り付ける際は、分岐ハンドルカバー１２の端（短辺）をカバー支持面１３上に配置し、カバー支持面１３に沿って分岐ハンドルカバー１２をスライドさせる。そして、分岐ハンドルカバー１２の位置を第２開口窓３ｂに合わせた後、分岐ハンドルカバー１２の凹部１５に対応する位置をユーザが指等で一度押さえてから離す。これにより、分岐ハンドルカバー１２の端（短辺）が、一旦凹部１５側に引き込まれてから、元に戻る。これにより、第２開口窓３ｂの短辺に位置する爪１４ａの下に分岐ハンドルカバー１２が入り込む。分岐ハンドルカバー１２をスライドさせただけでは爪１４ａの下に分岐ハンドルカバー１２が入らない場合であっても、このように、カバー支持面１３に凹部１５を設けることにより、容易に確実に、分岐ハンドルカバー１２を爪１４ａの下に挿入することができる。分岐ハンドルカバー１２は、工具を使用することなく外側からユーザの手によって着脱（開閉）することができる。
【００２６】
なお、取り付けるために分岐ハンドルカバー１２の端をカバー支持面１３上に配置するときに、分岐ハンドルカバー１２の切り欠き１２ａが本体カバー３の爪１４に対応するように（切り欠き１２ａが爪１４を避ける位置に）、分岐ハンドルカバー１２の位置を合わせてもよい。その位置から、分岐ハンドルカバー１２をカバー支持面１３に押さえ付けながらスライドさせることにより、容易に分岐ハンドルカバー１２をカバー支持面１３と爪１４との間に挿入することができる。また、切り欠き１２ａが円弧状（曲線状）にカーブしているため、スライドさせたときに分岐ハンドルカバー１２が爪１４の下に入り込みやすい。分岐ハンドルカバー１２において、切り欠き１２ａが設けられた辺と、該辺に隣接する切り欠き１２ａの辺（ここでは円弧）とのなす角θは、９０°未満であることが好ましい（図３参照）。それゆえ、切り欠き１２ａは、円弧状または三角形状であることが特に好ましい。これにより、分岐ハンドルカバー１２をスライドさせたときに、切り欠き１２ａの端が爪１４に引っかからないため、分岐ハンドルカバー１２を爪１４とカバー支持面１３との間に挿入しやすい。
【００２７】
固定された軸を中心に回動して開く回動式に比べて、着脱式の分岐ハンドルカバー１２の方が、軸等が壊れることがなく、分岐ハンドルカバー１２が前側に回動するスペースが必要ない。そのため、小さいスペースで分電盤１を使用（設置）することができる。また、本実施形態の分岐ハンドルカバー１２は、板状であるため、市販の樹脂板を切り抜くことによって製造することができる。そのため、回動式に比べて製造コストを低く抑えることができる。
【００２８】
なお、分岐ハンドルカバー１２は、着脱式ではなく、固定された軸を中心に回動して開く構成（回動式）であってもよい。分岐ハンドルカバー１２が回動式であっても、分岐ハンドルカバー１２は、分岐開閉器５の分岐ハンドル５ａに対応した第２開口窓３ｂを覆う大きさで十分である。そのため、分岐ハンドルカバー１２を開けるための前面側のスペースが小さくて済む。
【００２９】
なお、本実施形態の分電盤１は、住宅用の分電盤にも適用可能であるが、遊技機（例えば、パチンコ台またはスロット台）向けに特に好適である。その理由について、以下に述べる。
【００３０】
一般的に、複数の遊技機は、島と称される複数のグループごとに電気的な制御が行われる。そして、上述の島の電気的な制御を行うための分電盤（制御盤）は、島盤と称される。遊技機がパチンコ台である場合には、島盤は台の上の部分に設置されることが標準的である。他方、遊技機がスロット台である場合には、島盤は台の下の部分に設置されることが標準的である。このように、一般的に島盤の設置位置は制限されることが多い。従って、島盤は、上下左右が壁に密接した狭いスペース内に設置されることとなる。このため、島盤のメンテナンス作業を行う場合には、島盤のカバーを取り付けるための作業スペースも、非常に狭くなる。
【００３１】
しかしながら、本実施形態の分電盤１によれば、上述した通り、主開閉器４の主幹ハンドル４ａに対応した箇所に主幹ハンドルカバー１１を設け、分岐開閉器５の分岐ハンドル５ａに対応した箇所に分岐ハンドルカバー１２を設けている。そのため、狭いスペース内に分電盤１を配置することができる。また、分電盤１では、主幹ハンドル４ａおよび分岐ハンドル５ａが、それぞれ主幹ハンドルカバー１１および分岐ハンドルカバー１２に覆われているため、パチンコ玉またはコイン等の物体が主幹ハンドル４ａおよび分岐ハンドル５ａに接触することを防ぐことができる。
【００３２】
以上のように、本実施形態の分電盤１は、遊技機用の島盤に特に好適な構成である。なお、本実施形態の分電盤１の構成は、遊技機用の島盤のメンテナンス作業の効率化を目的として、本願の発明者によって新たに見出されたものである。
【００３３】
（本体カバーの樹脂成型）
図８は、分電盤１の本体カバー３を樹脂成型するための金型において樹脂が流動する状態を示す図である。本体カバー３を樹脂成型にて作製する場合、例えば、図８に示すような金型２１を用いる。この金型２１は、金型２１の一方の長辺側の側壁部における略中央部に、樹脂を注入するための注入口２１ａが設けられている。また、金型２１の内側には、複数の凸部２１ｂが設けられている。これらの凸部２１ｂは、第２開口窓３ｂにおいて分岐開閉器５が配置される、区画された複数（ここでは３つ）の領域を形成するための部分である。さらに、隣り合う凸部２１ｂ同士の対向する側壁の間には、架設部１６を形成するための壁間部２１ｃが形成されている。なお、図８においては、便宜上、第１開口窓３ａを形成するための部分の図示を省略している。
【００３４】
樹脂成型においては、注入口２１ａから注入された樹脂は、図８に破線にて示すように、両端の凸部２１ｂと金型２１の短辺側の側壁部との間を回り込むだけでなく、壁間部２１ｃにも流れ込んで、注入口２１ａが設けられた側壁部と対向する側壁部側（注入口２１ａと反対側）に達する。これにより、図９に示す従来の金型１０１を用いた樹脂成型と比べて、注入口２１ａと反対側に流れ込む樹脂の量が多くなるので、金型２１の全体に樹脂が注入されるまでの時間を短縮することができる。
【００３５】
（分電盤の効果）
以上のように、本実施形態の分電盤１によれば、分岐ハンドル５ａを露出させる第２開口窓３ｂに設けられた架設部１６は、第２開口窓３ｂにおける分岐ハンドル５ａが移動する領域を除く領域に、架設部１６の両側に複数の分岐開閉器５が存在する位置に配置されている。これにより、第２開口窓３ｂの架設部１６により区画された領域には、複数の分岐開閉器５が配置されるので、分岐ハンドル５ａを操作するための空間が十分広く確保される。従って、分岐ハンドル５ａの操作性が損なわれることはない。しかも、架設部１６を複数設けることにより、本体カバー３の第２開口窓３ｂにおける強度を向上させることができる。各架設部１６は、板状に形成されているので、第２開口窓３ｂにおける強度を高めることができる。
【００３６】
また、隣り合う架設部１６は、所定数（本実施形態では３個）の分岐開閉器５を間において配置されている。これにより、分電盤１では、第２開口窓３ｂが３つの架設部１６によって区画されることで形成された４つの各領域に３個の分岐開閉器５が配置されるので、１２個の分岐開閉器５が４つのグループに分けられる。従って、グループ内の分岐開閉器５の個数とグループ数とを乗算することで分岐開閉器５を数えやすくすることができる。なお、１つのグループに含まれる分岐開閉器５の個数は上記の３個に限定されないのは勿論である。
【００３７】
また、分岐ハンドルカバー１２を設けていない状態では、作業中に誤って分岐ハンドル５ａに触れてしまい、分岐ハンドル５ａがオフの状態になることがあったとしても、区画された範囲内で誤当接を食い止めることができ、電気的な影響の波及範囲を所定範囲内に抑制することができる。
【００３８】
さらに、架設部１６は、架設部１６の外表面が分岐ハンドル５ａの動作範囲の最も高い位置よりも高い位置にあるように形成されている。これにより、分岐ハンドルカバー１２が閉じられた状態でも、分岐ハンドルカバー１２が分岐ハンドル５ａと接触することはない。しかも、分岐ハンドルカバー１２は、押さえられても、架設部１６に支持されることで沈み込まないので、分岐ハンドル５ａに接触することはない。従って、分岐ハンドル５ａの誤操作を回避することができる。
【００３９】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００４０】
なお、本発明に係る分電盤は、以下の（態様１）〜（態様４）のとおり表現することもできる。
【００４１】
（態様１）複数の分岐開閉器のそれぞれに設けられた操作のためのハンドルを露出させる開口部が形成された樹脂製の本体カバーを備え、
前記本体カバーは、前記開口部において前記ハンドルが移動する領域を除く領域で前記開口部を横切るように架け渡された少なくとも１つの架設部を有し、
前記架設部は、その両側に複数の前記分岐開閉器が存在する位置に設けられている分電盤。
【００４２】
（態様２）前記架設部が複数設けられている前記態様１に記載の分電盤。
【００４３】
（態様３）隣り合う前記架設部が所定数の前記分岐開閉器を間において配置されている前記態様２に記載の分電盤。
【００４４】
（態様４）前記架設部が、前記架設部の外表面が前記分岐開閉器のハンドルの動作範囲の最も高い位置よりも高い位置にあるように形成されている前記態様１から態様３のいずれか１つに記載の分電盤。
【産業上の利用可能性】
【００４５】
本発明は、分電盤に利用することができる。
【符号の説明】
【００４６】
１  分電盤
３  本体カバー
３ｂ  第２開口窓（開口部）
５  分岐開閉器
５ａ  分岐ハンドル（ハンドル）
１６  架設部
【図１】
2019115258.tif 000003
【図２】
2019115258.tif 000004
【図３】
2019115258.tif 000005
【図４】
2019115258.tif 000006
【図５】
2019115258.tif 000007
【図６】
2019115258.tif 000008
【図７】
2019115258.tif 000009
【図８】
2019115258.tif 000010
【図９】
2019115258.tif 000011